(57)【特許請求の範囲】
【請求項１】
互いに間隔を置いて配置され、第１および第２プラスチックフィルムを案内する第１および第２ガイドローラと、
前記第１ガイドローラと前記第２ガイドローラ間に配置された一対の第３ガイドローラと、
前記第１ガイドローラと前記第３ガイドローラ間において、フレームに形成された第１ノッチと、
前記第２ガイドローラと前記第３ガイドローラ間において、前記フレームに形成された第２ノッチと、
前記第１プラスチックフィルムが前記第１ガイドローラを通り、前記各第３ガイドローラ間に導かれ、一定の送り方向に送られているとき、前記第２ガイドローラから導かれる第２プラスチックフィルムをニップし、前記第１ガイドローラと前記第３ガイドローラ間に配置され、前記第１ノッチに係合し、保持され、前記第１ガイドローラと前記第３ガイドローラ間において、前記第２プラスチックフィルムをプラスチックフィルム送り方向と逆の方向に導き、前記第１プラスチックフィルムに対面させ、さらに、前記第２プラスチックフィルムが前記第２ガイドローラを通り、前記各第３ガイドローラに導かれ、一定の方向に送られているとき、前記第１ガイドローラから導かれる第１プラスチックフィルムをニップし、前記第２ガイドローラと前記第３ガイドローラ間に配置され、前記第２ノッチに係合し、保持され、前記第２ガイドローラと前記第３ガイドローラ間において、前記第１プラスチックフィルムをプラスチックフィルム送り方向と逆の方向に導き、前記第２プラスチックフィルムに対面させるニッパと、
前記第１プラスチックフィルムと前記第２プラスチックフィルムを溶断シールし、接続する溶断シールバーと、
前記ニッパが前記第１ガイドローラと前記第３ガイドローラ間に配置されているとき、前記溶断シールバーを前記ニッパと前記第３ガイドローラ間に移動させ、前記ニッパが前記第２ガイドローラと前記第３ガイドローラ間に配置されているとき、前記溶断シールバーを前記ニッパと前記第３ガイド機構間に移動させるシリンダとからなるプラスチックフィルム接続装置。
【発明の詳細な説明】
【０００１】
【産業上の利用分野】
この発明は、プラスチックフィルム接続装置に関するものである。
【０００２】
【従来技術とその問題点】
図６は従来の装置を示す。この装置では、第１および第２ガイドローラＧ１，Ｇ２が互いに間隔を置いて配置され、第３ガイドローラＧ３が第１および第２ガイドローラＧ１，Ｇ２間に設けられ、使用中のプラスチックフィルムＦ１が第１ガイドローラＧ１を通り、第３ガイドローラＧ３に導かれ、第４ガイドローラＧ４を通り、一定の送り方向に送られる。さらに、新しいプラスチックフィルムＦ２が第２ガイドローラＧ２を通り、第３ガイドローラＧ３に導かれ、第３および第４ガイドローラＧ３，Ｇ４間において、新しいプラスチックフィルムＦ２がプラスチックフィルム送り方向と同一の方向に導かれ、使用中のプラスチックフィルムＦ１に対面する。そして、プラスチックフィルムＦ１の使用にともない、その末端がセンサの位置を通過したとき、センサによってそれが検出され、その検出信号にもとづき、図７に示すように、ヒートシールバーＨによって新しいプラスチックフィルムＦ２と使用中のプラスチックフィルムＦ１がヒートシールされ、接続される。したがって、その後、新しいプラスチックフィルムＦ２が第４ガイドローラＧ４を通り、送られる。
【０００３】
しかしながら、この場合、新しいプラスチックフィルムＦ２と使用中のプラスチックフィルムＦ１がヒートシールされ、接続されたとき、プラスチックフィルムＦ２の始端Ｅが一定長さをもって突出し、その状態で送られ、その後、プラスチックフィルムＦ２の始端Ｅがガイドローラに巻き込まれるおそれがあった。使用済プラスチックフィルムＦ１についても、その残量分Ｒが新しいプラスチックフィルムＦ２に重なり、その状態で送られる。したがって、たとえば、透過式光電管によってプラスチックフィルムの図柄またはマークを検出するとき、プラスチックフィルムＦ１の残量分Ｒによって光電管の誤動作が生じるという問題がある。
【０００４】
【発明の目的】
したがって、この発明は、新しいプラスチックフィルムと使用中のプラスチックフィルムを接続するプラスチックフィルム接続装置において、その接続部分のプラスチックフィルムの始端および残量分にともなう問題が生じないようにすることを目的としてなされたものである。
【０００５】
【発明の構成】
この発明によれば、互いに間隔を置いて配置され、第１および第２プラスチックフィルムを案内する第１および第２ガイドローラと、
前記第１ガイドローラと前記第２ガイドローラ間に配置された一対の第３ガイドローラと、
前記第１ガイドローラと前記第３ガイドローラ間において、フレームに形成された第１ノッチと、
前記第２ガイドローラと前記第３ガイドローラ間において、前記フレームに形成された第２ノッチと、
前記第１プラスチックフィルムが前記第１ガイドローラを通り、前記各第３ガイドローラ間に導かれ、一定の送り方向に送られているとき、前記第２ガイドローラから導かれる第２プラスチックフィルムをニップし、前記第１ガイドローラと前記第３ガイドローラ間に配置され、前記第１ノッチに係合し、保持され、前記第１ガイドローラと前記第３ガイドローラ間において、前記第２プラスチックフィルムをプラスチックフィルム送り方向と逆の方向に導き、前記第１プラスチックフィルムに対面させ、さらに、前記第２プラスチックフィルムが前記第２ガイドローラを通り、前記各第３ガイドローラに導かれ、一定の方向に送られているとき、前記第１ガイドローラから導かれる第１プラスチックフィルムをニップし、前記第２ガイドローラと前記第３ガイドローラ間に配置され、前記第２ノッチに係合し、保持され、前記第２ガイドローラと前記第３ガイドローラ間において、前記第１プラスチックフィルムをプラスチックフィルム送り方向と逆の方向に導き、前記第２プラスチックフィルムに対面させるニッパと、
前記第１プラスチックフィルムと前記第２プラスチックフィルムを溶断シールし、接続する溶断シールバーと、
前記ニッパが前記第１ガイドローラと前記第３ガイドローラ間に配置されているとき、前記溶断シールバーを前記ニッパと前記第３ガイドローラ間に移動させ、前記ニッパが前記第２ガイドローラと前記第３ガイドローラ間に配置されているとき、前記溶断シールバーを前記ニッパと前記第３ガイド機構間に移動させるシリンダとからなるプラスチックフィルム接続装置が提供される。
【０００６】
さらに、この発明によれば、第１および第２ガイド機構が互いに間隔を置いて配置され、第１および第２ガイド機構によって第１および第２プラスチックフィルムが案内される。さらに、第３ガイド機構が第１および第２ガイド機構間に設けられ、第１プラスチックフィルムが第１ガイド機構を通り、第３ガイド機構に導かれ、一定の送り方向に送られているとき、第２プラスチックフィルムが第２ガイド機構から導かれ、ニッパに第２プラスチックフィルムがニップされ、これが第１ガイド機構と第３ガイド機構間に配置される。したがって、第１ガイド機構と第３ガイド機構間において、第２プラスチックフィルムがプラスチックフィルム送り方向と逆の方向に導かれ、第１プラスチックフィルムに対面する。そして、第１ガイド機構と第３ガイド機構間において、溶断シールバーによって第１および第２プラスチックフィルムが溶断シールされ、接続される。
【０００７】
反対に、第２プラスチックフイルムが第２ガイド機構を通り、第３ガイド機構に導かれ、一定の送り方向に送られているとき、第１プラスチックフィルムが第１ガイド機構から導かれ、ニッパに第１プラスチックフィルムがニップされ、ニッパは第２ガイド機構と第３ガイド機構間に配置される。したがって、第２ガイド機構と第３ガイド機構間において、第１プラスチックフィルムがプラスチックフィルム送り方向と逆の方向に導かれ、第２プラスチックフィルムに対面する。そして、第２ガイド機構と第３ガイド機構間において、溶断シールバーによって第１および第２プラスチックフィルムが溶断シールされ、接続される。
【０００８】
溶断シールバーが２つの溶断シール位置間を移動するようにすることが好ましい。
【０００９】
【実施例の説明】
以下、この発明の実施例を説明する。
【００１０】
図１において、これはプラスチックフィルム接続装置であり、第１、第２および第３ガイド機構を有し、水平方向において、第１および第２ガイド機構が互いに間隔を置いて配置され、第３ガイド機構は第１および第２ガイド機構間に設けられている。第１ガイド機構は第１プラスチックフィルム１を案内するためのもので、第１ガイドローラ２からなり、第１プラスチックフィルム１は原反３から引き出され、第１ガイドローラ２に導かれる。第２ガイド機構は第２プラスチックフィルム４を案内するためのもので、第２ガイドローラ５からなり、第２プラスチックフィルム４は原反６から引き出され、第２ガイドローラ５に導かれる。第３ガイド機構は一対の第３ガイドローラ７，８からなり、第１および第２ガイドローラ２，５間に設けられている。さらに、水平方向において、各第３ガイドローラ７，８がわずかに間隔を置いて配置され、第４ガイドローラ９がその下方に配置されており、第１プラスチックフィルム１は第１ガイドローラ２を通り、第３ガイドローラ７に導かれ、第４および第５ガイドローラ９，１０を通り、一定の送り方向に送られる。
【００１１】
さらに、第１プラスチックフィルム１が第１ガイドローラ２を通り、第３ガイドローラ７に導かれ、一定の送り方向に送られているとき、第２プラスチックフィルム４が第２ガイドローラ５から導かれ、ニッパ１１に第２プラスチックフィルム４がニップされ、これが第１ガイドローラ２と第３ガイドローラ７間に配置される。その位置は第１プラスチックフィルム１の上方である。したがって、第１ガイドローラ２と第３ガイドローラ７間において、第２プラスチックフィルム４がプラスチックフィルム送り方向と逆の方向に導かれ、第２プラスチックフィルム４は第１プラスチックフィルム１の上方に位置し、第１プラスチックフィルム１に対面する。
【００１２】
図２に示すように、ニッパ１１は一対のニップバー１２からなり、ターンバックル式開閉レバー１３によってニップバー１２が連結されており、開閉レバー１３はニップバー１２の両端に設けられている。したがって、開閉レバー１３によってニップバー１２を開き、第２プラスチックフィルム４を各ニップバー１２間に挿入し、その後、開閉レバー１３によってニップバー１２を閉じ、これによって第２プラスチックフィルム４をニップすることができる。その後、ニッパ１１を適宜移動させ、第２プラスチックフィルム４を原反６から引き出し、ニッパ１１を第１ガイドローラ２と第３ガイドローラ７間に配置し、フレーム１４のノッチ１５に係合させ、保持することができる。したがって、第２プラスチックフィルム４をプラスチックフィルム送り方向と逆方向に導き、第１プラスチックフィルム１に対面させることができるものである。
【００１３】
そして、プラスチックフィルム１の使用にともない、その末端がセンサ１６を通過したとき、センサ１６によってそれが検出され、その検出信号にもとづき、図３に示すように、第１ガイドローラ２と第３ガイドローラ７間において、溶断シールバー１７およびシール受け１８によって第１および第２プラスチックフィルム１，４が溶断シールされ、接続される。その後、第２プラスチックフィルム４が第２ガイドローラ５を通り、第３ガイドローラ８に導かれ、第４および第５ガイドローラ９，１０を通り、送られる。
【００１４】
溶断シールバー１７はプラスチックフィルム１，４の幅に対応する長さのもので、プラスチックフィルム１，４の幅方向にのび、シリンダ１９に連結され、支持されている。シリンダ１９はビーム２０に取り付けられており、ノッチ１５と第３ガイドローラ７間において、溶断シールバー１７は第１および第２プラスチックフィルム１，４の上方に位置する。さらに、ノッチ１５と第３ガイドローラ７間において、シール受け１８が第１および第２プラスチックフィルム１，４の下方に配置されており、溶断シールバー１７はシール受け１８に対向する。さらに、ガイドバー２１によって溶断シールバー１７が案内されており、センサ１６の検出信号にもとづき、制御装置によってシリンダ１９が駆動され、溶断シールバー１７が押し下げられ、第１および第２プラスチックフィルム１，４が溶断シールバー１７とシール受け１８間に挟まれる。これによって第１および第２プラスチックフィルム１，４が溶断シールされ、接続されるものである。
【００１５】
したがって、この装置では、使用中のプラスチックフィルム１が一定の送り方向に送られているとき、新しいプラスチックフィルム４がプラスチックフィルム送り方向と逆の方向に導かれ、使用中のプラスチックフィルム１に対面する。そして、プラスチックフィルム１の使用にともない、その末端がセンサ１６を通過したとき、溶断シールバー１７によって新しいプラスチックフィルム４と使用中のプラスチックフィルム１が溶断シールされ、接続されるものである。その後、新しいプラスチックフィルム４が一定の送り方向に送られる。
【００１６】
したがって、図６の装置と異なり、この装置の第１および第２プラスチックフィルム１，４については、溶断シールされ、接続されたとき、その接続部分がプラスチックフィルムの始端Ｅおよび残量分Ｒから切り離され、接続部分はプラスチックフィルムの始端Ｅおよび残量分Ｒをもたない。したがって、プラスチックフィルムの始端Ｅがガイドローラに巻き込まれるという問題はなく、プラスチックフィルムの残量分Ｒによって光電管の誤動作が生じるという問題もない。
【００１７】
さらに、この実施例では、第２プラスチックフィルム４が第２ガイドローラ５を通り、第３ガイドローラ８に導かれ、一定の送り方向に送られているとき、第１プラスチックフィルム１の原反３が新しい原反と交換され、図４に示すように、新しいプラスチックフィルム、すなわち第１プラスチックフィルム１が原反３から引き出され、第１ガイドローラ２に導かれる。さらに、ニッパ１１の開閉レバー１３によってニップバー１２が開かれ、閉じられ、ニッパ１１に第１プラスチックフィルム１がニップされる。
【００１８】
その後、ニッパ１１が適宜操作され、移動し、第１プラスチックフィルム１が原反３から引き出され、ニッパ１１は第２ガイドローラ５と第３ガイドローラ８間に配置され、フレーム１４のノッチ２２に係合し、保持される。したがって、第２ガイドローラ５と第３ガイドローラ８間において、第１プラスチックフィルム１がプラスチックフィルム送り方向と逆の方向に導かれ、第１プラスチックフィルム１は第２プラスチックフィルム４の上方に位置し、第２プラスチックフィルム４に対面する。
【００１９】
さらに、この装置の溶断シールバー１７については、そのビーム２０がキャリジ２３に取り付けられ、キャリジ２３はガイドロッド２４に支持され、シリンダ２５に連結されている。そして、ニッパ１１の移動後、そのセンサの検出信号、または押しボタン信号に応答し、シリンダ２５によってキャリジ２３が操作され、溶断シールバー１７およびキャリジ２３がガイドロッド２４に沿って移動する。さらに、ノッチ２２と第３ガイドローラ８間において、シール受け１８が第２プラスチックフィルム４の下方に配置されており、ノッチ２２と第３ガイドローラ８間において、溶断シールバー１６はシール受け１８の上方まで移動し、それに対向する。したがって、溶断シールバー１６が２つの溶断シール位置間を移動するものである。
【００２０】
そして、プラスチックフィルム４の使用にともない、その末端がセンサ１６を通過したとき、センサ１６の検出信号にもとづき、図５に示すように、第２ガイドローラ５と第３ガイドローラ８間において、溶断シールバー１７によって第１および第２プラスチックフィルム１，４が溶断シールされ、接続される。したがって、その後、第１プラスチックフィルム１が第１ガイドローラ２を通り、第３ガイドローラ７に導かれ、送られる。
【００２１】
なお、第１および第２プラスチックフィルム１，４として種類の異なるプラスチックフィルムを使用し、第１プラスチックフィルム１が第１ガイドローラ２を通り、第３ガイドローラ７に導かれ、一定の送り方向に送られているとき、その残量に関係なく、第１ガイドローラ２と第３ガイドローラ７間において、溶断シールバー１７によって第１および第２プラスチックフィルム１，４を溶断シールし、接続し、これによってプラスチックフィルムの種類を交換するようにしてもよい。さらに、第２プラスチックフィルム４が第２ガイドローラ５を通り、第３ガイドローラ８に導かれ、一定の送り方向に送られているとき、ニッパ１１に第１プラスチックフィルム１をニップし、これを第２ガイドローラ５と第３ガイドローラ８間に配置する。その後、第２ガイドローラ５と第３ガイドローラ８間において、溶断シールバー１７によって第１プラスチックフィルム１と第２プラスチックフィルム４を溶断シールし、接続し、これによってプラスチックフィルムの種類を交換することもできる。
【００２２】
【発明の効果】
以上説明したように、この発明によれば、プラスチックフィルムが溶断シールされ、接続されたとき、その接続部分がプラスチックフィルムの始端および残量分から切り離され、接続部分はプラスチックフィルムの始端および残量分をもたない。したがって、プラスチックフィルムの始端および残量分にともなう問題はない。さらに、プラスチックフィルムを２つの溶断シール位置で溶断シールする必要があるが、溶断シールバーが２つの溶断シール位置間を移動し、各溶断シール位置にそれぞれ溶断シールバーを設ける必要はなく、コストは低い。溶断シールバーの熱源についても、単一の共通の溶断シールバーに熱源を設ければよく、消費エネルギは小さく、所期の目的を達成することができるものである。
【図面の簡単な説明】
【図１】この発明の実施例を示す側面図である。
【図２】図１の装置の斜視図である。
【図３】図１のプラスチックフィルムが接続された状態を示す説明図である。
【図４】図１のニッパおよび溶断シールバーが移動した状態を示す説明図である。
【図５】図４のプラスチックフィルムが接続された状態を示す説明図である。
【図６】従来の装置の説明図である。
【図７】図４のプラスチックフィルムが接続された状態を示す説明図である。
【符号の説明】
１  第１プラスチックフィルム
２  第１ガイドローラ
４  第２プラスチックフィルム
５  第２ガイドローラ
７，８  第３ガイドローラ
１１  ニッパ
１７  溶断シールバー
【図１】
0003981210.tif 000002
【図２】
0003981210.tif 000003
【図３】
0003981210.tif 000004
【図４】
0003981210.tif 000005
【図５】
0003981210.tif 000006
【図６】
0003981210.tif 000007
【図７】
0003981210.tif 000008